【事件の表示】
　平成９年特許願第２１９５８１号「導電性複合繊維及びそれからなる接触帯電ブラシ」拒絶査定に対する審判事件〔平成１１年３月５日出願公開、特開平１１−６５２２６、請求項の数（３）〕について、次のとおり審決する。
【結　論】
　原査定を取り消す。
　本願の発明は、特許すべきものとする。
【理　由】
１. 手続きの経緯および本願発明
　平成９年特許願第２１９５８１号（以下、「本願」と言う。）は、平成９年８月１４日に出願され、平成１１年３月１９日に審査請求され、平成１３年３月２９日付けで拒絶査定された。その後、平成１３年５月１０日にこの拒絶査定に対して審判が請求され、平成１３年１０月２４日付けで前置報告がされた。
　また、本願の明細書は、平成１３年６月７日提出の手続補正書により補正されている。この補正は、特許法第１７条の２第１項の規定に基づくものであり（同項第３号に該当）、同条第３項および第４項に規定された要件を満たしている。
　本願に係る発明は、補正された明細書（以下、単に「明細書」と言う。）および図面の記載から見て、その特許請求の範囲の請求項１〜３に記載された次のとおりのものであると認める。
　
【請求項１】
　電子写真式画像形成装置の接触帯電ブラシに用いられる導電性複合繊維であって、該複合繊維が粒径０．５μｍ以下の導電性微粒子を含有する熱可塑性重合体からなる導電性成分と熱可塑性重合体からなる非導電性成分とが接合されてなり、その横断面が扁平形状であり、かつ導電性成分が繊維表面の長軸面中央部分に露出するように配された複合構造を有し、かつ導電性成分を構成する熱可塑性重合体と非導電性成分を構成する熱可塑性重合体が炭素数１０以上のモノマー単位を主たる成分とするポリアミド、芳香族ポリエステル、ポリオレフィンからなる群より選ばれたものであることを特徴とする導電性複合繊維。
　
【請求項２】
　繊維横断面の長軸／短軸の比率が５／１〜２／１である請求項１記載の導電性繊維。
　
【請求項３】
　請求項１又は２に記載の繊維からなる電子写真式画像形成装置の接触帯電ブラシ。
　
　以下では、請求項１〜３に係る発明を「本願発明１〜３」と言う。
　
２. 原査定の拒絶理由
　本願は、平成１２年１０月１６日付け拒絶理由通知書に記載された理由によって拒絶査定されたものであって、当該理由は、概略次のとおりである。
　
「本願発明は、本願の出願前に日本国内または外国において頒布された以下の刊行物１〜５に記載された発明に基づいて、その出願前にその発明の属する技術の分野における通常の知識を有する者が容易に発明をすることができたものであるから、特許法第２９条第２項の規定により特許を受けることができない。
　
　　刊行物１：特開昭５７−４６２６５号公報
　　刊行物２：特開平６−２８２２０５号公報
　　刊行物３：特開昭５７−１６７４１６号公報
　　刊行物４：特開平６−１１９１６号公報
　　刊行物５：特開平９−１０１６５０号公報」
　
　また、前置報告書には、以下の刊行物６および７が周知例として挙げられている。
　
　　刊行物６：特開昭５７−１８３４６２号公報
　　刊行物７：特公昭５６−４０３４９号公報
　
３. 刊行物に記載された事項
３.１. 刊行物１
　刊行物１には、以下の（１ａ）〜（１ｉ）の事項が、図面とともに記載されている。
　
（１ａ）第１ページ右下欄第８行から第１０行まで
「本発明は帯電装置に関するもので、更に詳しくは静電記録、電子写真法における摺擦帯電装置に関するものである。」
　
（１ｂ）第２ページ左上欄第６行から第１７行まで
「使用する摺擦帯電部材の電気抵抗が低すぎると、被帯電体である感光ドラムと摺擦帯電部材との間に加えた電圧が、直接感光ドラムの感光層に加わり、…感光層面にピンホールが生じやすく、そこに電界が集中して損傷が生じやすい問題が生じる。この為には摺擦帯電部材を適当な電気抵抗値のものを有する材料を使用することが必要である。このような電気抵抗値が安定に維持され、かつ耐久性のあるものは従来製作されていなかった。」
　
（１ｃ）第２ページ右上欄第１７行から左下欄第９行まで
「本発明は、…摺擦帯電部材としてブラシ状繊維織物を使用し、この繊維が吸湿性の少ない高分子を主体にして形成されており、少なくともこの繊維の断面の一部が導電性粒子を含有した領域を有する糸を織って形成されたブラシ状摺擦帯電部材を使用する摺擦帯電装置である。
　よって本発明によれば…放電むら等の帯電むらもなく、かつ環境依存性もなく、帯電特性が安定に維持可能となり、…」
　
（１ｄ）第２ページ右下欄第９行から第１６行まで
「この感光体２の上に本発明の摺擦帯電装置３が接するように設置されている。摺擦帯電装置３は芯材である金属ローラ４の上に摺擦帯電部材５が巻かれており、…ローラ４を覆っている摺擦帯電部材５は下地５ａとブラシ５ｂとからなり、…」
　
（１ｅ）第３ページ左上欄第１１行から第１５行まで
「この下地５ａに半導電性の毛状ブラシ５ｂが植えられたように形成されており、少なくともこのブラシ５ｂが感光体２の表面に接して摺擦されながら被帯電体である感光体２上を帯電する。」
　
（１ｆ）第３ページ左下欄第６行から第１５行まで
「例えばローズベンガルによって増感されたＺｎＯ粉末とバインダー樹脂からなる感光体２を使用し、シリンダー１と帯電装置３との間に−９００Ｖの電圧を印加して、感光体２の表面を約−７００Ｖに帯電できた。さらに１０℃、３０％の低湿下と３５℃、８５％の高湿下における帯電特性を…観測したが、ほぼ一定の帯電特性が得られ、実用上問題ないことが確認できた。」
　
（１ｇ）第３ページ左下欄第１６行から右下欄第１６行まで
「次に使用した摺擦帯電部材の毛状ブラシ５ｂの材質について記述する。この毛状ブラシ５ｂの毛の構成は例えば約直径１０μ前後の糸を数本から数十本撚ったものから形成されている。この糸の構造を第２図に示した。第２図は糸９の断面を示したもので、糸９は吸湿性の少ない高分子材料１０、例えばポリアミド（ナイロン）樹脂やポリエステル樹脂等と、この吸湿性の少ない高分子材料１０に含有させた導電性粒子１１（例えばカーボン）で形成されている。第２図の（イ）は導電性粒子が含有された高分子材料から形成される電気抵抗の低い領域が糸の内部に分散されている例であり、（ロ）はこの領域が糸の断面のほぼ直径の位置に糸を二分するように配置構成されている例である。また、（ハ）は糸の周囲にこの導電性領域が配置構成された例であり、さらに（ニ）は糸の周囲にこの領域が分散されている配置構成の例である。いずれも植物性繊維と異なり吸湿性の少ない高分子を主体に構成されている為、帯電特性の湿度依存性は少なく、この長所は使用する上での利点として大きい。」
　
（１ｈ）第４ページ左上欄第１１行から第１４行まで
「なお、本発明に係る第１図の実施例に限らず、摺擦帯電部材の変形は自在であり、又、帯電のみならず被帯電体の均一除電に用いることも可能である。」
　
（１ｉ）第４ページ右上欄第１７行から左下欄第２行まで
「以上のように、本発明によれば摺擦帯電部材の電気抵抗を容易に制御し、かつ安定に維持することが可能となり、特に高湿下等の環境安定性も優れ、かつ耐久性も充分にあり、また柔軟性に優れたブラシ状の摺擦帯電部材を提供できる。」
　
　上記（１ｇ）の「導電性粒子が含有された高分子材料から形成される電気抵抗の低い領域…この導電性領域が…」という記載から、糸９を構成する高分子材料１０のうち、導電性粒子１１を含有する部分が「導電性領域」であることが分かる。そうすると、糸９を構成する高分子材料１０のうち、導電性粒子１１を含まない部分は、「非導電性領域」として把握することができる。
　また、明記はされていないものの、刊行物１の第２図（イ）〜（ニ）に示された糸の断面図から判断して、刊行物１に記載された糸９の横断面は、円形であると認められる。
　以上のことから、刊行物１には
　
「電子写真法のブラシ状摺擦帯電部材に用いられる導電性糸９であって、該糸が導電性粒子１１を含有する高分子材料１０からなる導電性領域と高分子材料１０からなる非導電性領域とからなり、その横断面が円形であり、かつ導電性領域が繊維表面に露出するように配置された構造を有し、かつ導電性領域を構成する高分子材料１０と非導電性領域を構成する高分子材料１０が、ポリアミド（ナイロン）樹脂やポリエステル樹脂等、吸湿性の少ない高分子材料１０である導電性糸」
　
が記載されている。
　
３.２. 刊行物２
　刊行物２には、以下の事項が記載されている。なお、【　】内の番号は、刊行物２の発明の詳細な説明の欄の段落番号を示す。
　
【０００１】
【産業上の利用分野】
　この発明は、複写機、ファックス、プリンタ等の電子写真方式の画像形成手段を用いる画像形成装置などに使用され、像担持体上に残留したトナー等を除去するクリーニングブラシに関する。
　
【００１０】
【発明が解決しようとする課題】
　しかし、上記従来技術の場合には、次のような問題点を有している。…クリーニングブラシのかき乱し力及びかき落とし力を高めるため、ブラシ繊維の強度や腰を強くしたり、ブラシの繊維を太くすると、クリーニングブラシが感光体の表面を摺擦する力が大きくなるため、感光体表面をブラシが傷つけ、その傷が画質の劣化をもたらすという問題点が生じる。また、同時に感光体の磨耗量も多くなり、感光体の寿命が短くなるという問題点をも有している。
　
【００１４】
【課題を解決するための手段】
　この発明は、像担持体上に残留した現像剤等を除去するクリーニングブラシにおいて、前記クリーニングブラシの繊維の断面形状を楕円形状に形成するように構成されている。
【００１５】
　上記クリーニングブラシの繊維としては、例えば、断面形状が略楕円形状であって、しかも螺旋形状に形成したものを用いても良い。
【００１６】
　また、上記クリーニングブラシの繊維としては、例えば、断面楕円形状であって、しかも導電性成分を含有する重合体と導電性成分を含有しない重合体との複合層からなる複合繊維を用いても良い。
【００１７】
【作用】
　この発明においては、クリーニングブラシの繊維の断面形状が楕円形状に形成されているので、…像担持体の移動およびクリーニングブラシの回転によってクリーニングブラシの繊維の長軸が像担持体表面に沿った方向によじれ、広い面積で感光体に接触して多くのトナーの除去が行えるので、…摺擦効果を高めることができる。
【００１８】
　また、…繊維の曲がる方向が短軸方向であるため、同程度に像担持体に接触している場合にも、クリーニングブラシの繊維による像担持体表面の圧接力を弱めることができ、…像担持体の長寿命化が可能となる。
【００１９】
　さらに、クリーニングブラシの繊維はトナーを除去後、像担持体から離れ、よじれが復元する時の回転力により、付着したトナーが繊維表面より飛翔するため、…堆積が起こらず、長期にわたって良好なクリーニング能力を発揮することができる。
　
【００３９】
　すなわち、この実施例では、クリーニングブラシ１２が、図１に示すように、ブラシ繊維１５が植毛された基布１６を金属のシャフト１７に巻き付けることによって構成されている。また、このブラシ１２の立毛としては、略楕円形状の繊維１５が用いられており、ブラシ立毛の楕円の長軸が感光体ドラム１の方向に対し、任意の方向を向くように植毛されている。しかし、これに限定されるものではなく、上記ブラシ１２の立毛としては、ブラシ立毛の楕円の長軸が感光体ドラム１の方向に対し、同一の方向を向くように植毛しても良い。さらに、上記ブラシ１２の立毛としては、例えば、導電性繊維１５からなるものが用いられ、この立毛ブラシ１２は、接地される。しかし、上記ブラシ１２の立毛としては、絶縁性繊維からなるもの、あるいは導電性繊維と絶縁性繊維の混紡品からなるものを用いても勿論よい。
　
【００４１】
　また、上記断面楕円形状の繊維１５は、例えば、その長軸と短軸の長さの比が、１：１．５〜１：１０に設定されるが、この好ましくは１：２〜１：４に設定される。
　
【００６１】
　図７（ａ）（ｂ）はこの発明の第３実施例を示すものであり、前記第１の実施例と同一の部分には同一の符号を付して説明すると、この実施例では、クリーニングブラシ１２の繊維１５が断面楕円形状であって、しかもクリーニングブラシ１２の繊維１５が導電性成分を含有する重合体と導電性成分を含有しない重合体との複合層からなる複合繊維によって形成されている。
【００６２】
　すなわち、上記クリーニングブラシ１２の繊維１５は、図７に示すように、その断面形状が略楕円形状に形成されているとともに、導電性成分を含有する重合体２０、２２と導電性成分を含有しない重合体との複合層１９、２１からなる複合繊維によって形成されている。この繊維１５は、通常の複合繊維の製造方法で作成され、例えば、２種類の原料を同時に１つの口金から紡糸することで製造でき、それぞれの原料の流出口金の形状および配置によって様々な形状に作成できる。
【００６３】
　こうした場合には、上記クリーニングブラシ１２の繊維１５は、図７に示すように、導電性成分を含有する重合体２０、２２が感光体ドラム１に接触する面積が、断面形状が円形状の複合繊維よりも多くとれるので、感光体ドラム１の除電や残留未転写トナー等の除電等の効果を効率的に得ることができ、トナー等と感光体表面の付着力を弱める効果を高めることができる。
　
３.３. 刊行物３
　刊行物３には、以下の（３ａ）の事項が記載されている。
　
（３ａ）第２ページ右下欄第１３行から第３ページ左上欄第１６行まで
「複合繊維の保護層は、繊維に充分な強度を保持せしめ、磁性層を保護するものである。この目的に沿う紡糸材料は、ポリアミド、ポリエステル、ポリオレフィン、ポリビニル系ポリマー、ポリエーテル、その他の公知の繊維形成性ポリマーから任意に選ぶことが出来、更に必要に応じ前記添加剤を加えることも出来る。特に高精度の磁気記録を目的とする場合は弾性率（ヤング率）が大きく（好ましくは１００ｇ／ｄ以上、特に１５０ｇ／ｄ以上）、吸水率が小さい（２５℃、６５％ＲＨでの平衡水分率が３％以下、特に１％以下）ポリマー、例えばポリエチレンテレフタレート、ポリブチレンテレフタレート、ポリエチレンオキシベンゾエートなどの芳香族ポリエステルやナイロン１１、ナイロン１２、ナイロン６１０、ナイロン６１２などの低吸水性ポリアミド及びフェニレンジアミンやイフフタル酸及びテレフタル酸を原料とする芳香族ポリアミド及びポリアクリロニトリルなどが外力又は水分による変形が少なく好ましい。同様に耐熱性の見地からは軟化点や融点が１５０℃以上、特に２００℃以上のものが好ましく、２５０℃以上のポリマーが最も好ましい。また摩耗性の点からはポリアミド、ポリエステル、ポリオレフィンなどが好ましい。」
　
３.４. 刊行物４
　刊行物４には、以下の事項が記載されている。なお、【　】内の番号は、刊行物４の発明の詳細な説明の欄の段落番号を示す。
　
【０００１】
【産業上の利用分野】
　本発明は電子写真プリンタに関するものであり，…
　
【００１４】
　本発明において，帯電手段を構成するブラシは，細い繊維からなる回転ブラシや立毛を有する回転筒または立毛を有するベルト状に形成することができる。このような繊維としては，例えば特公昭５６−４０３４９号公報に記載されるような導電性複合繊維，すなわち単一の繊維内に導電性の微粒子を含む導電性部分と非導電性部分とを複合接着されたものを使用することができる。
【００１５】
　本発明においてブラシを形成する繊維の固有電気抵抗が１０３Ω・ｃｍ未満であると，ブラシの方に電荷が逃げる等の現象が発生し，帯電状態が不安定となり，画像が不均一になる等の問題が発生するため好ましくない。一方固有電気抵抗が１０１０Ω・ｃｍを超えると，像担持体表面に対する帯電電位を所定の値に保持することができず，帯電能力が不足するため不都合である。従って固有電気抵抗を１０３〜１０１０Ω・ｃｍ，好ましくは１０３〜１０８Ω・ｃｍとする。なお上記導電性複合繊維の固有電気抵抗は，長さ１００ｍｍの繊維にＤＣ１０００Ｖを印加し，２０℃，４０％ＲＨ以下の雰囲気および１０〜３０％ＲＨの湿度のもとで測定することが望ましい。
【００１６】
　上記の複合繊維に含有される導電性微粒子としては，カーボンブラック，金属粉などの例えば径１０μｍ以下，特に３μｍ以下，最も好ましくは１μｍ以下の粒子が挙げられるが，これら以外の導電性微粒子，例えば有機半導体等であっても，低湿度において優れた導電性を具有するものであれば使用できる。
【００１７】
　一般に親水性有機物質，例えばエーテル結合，水酸基，カルボキシル基，アミノ基，スルフォン基，リン酸基などの非イオン性またはイオン性の親水基の含有によって，導電性を有する物質は低湿度において導電性が低下したり，光や熱によって分解することが多く，安定性および耐久性の点において好ましくない。しかしこれらの物質は，カーボンブラックや金属粉などと併用若しくは混合使用して，カーボンブラック等の導電性を強化する目的で補助的に使用できる。
【００１８】
　一般にカーボンブラック等は紡糸材に対してかなり多量に混合しなくては充分な導電性が得られない。導電性微粒子の混合率は，その微粒子の性質，特に凝集性または連鎖構造をとるか否か，あるいはマトリックスポリマーの性質および分散性，安定剤，酸化防止剤等の副次的添加剤およびそれ等の混練状態によって変化する。
【００１９】
　例えば導電性カーボンブラックをポリアミド（６ナイロン，６６ナイロン等），ポリエステル（ポリエチレンテレフタレート，ポリブチレンテレフタレート等），ポリオレフィン（ポリエチレン，ポリプロピレン等），再生セルロース（レーヨン，アセテート等），ポリアクリロニトリル等のポリマーに混合する場合，カーボンブラックの混合率１０〜４０重量％，特に２０〜３０重量％で充分な導電性が得られることが多い。超導電性の，連鎖構造を作り易いカーボンブラックの場合は，５〜２０重量％で充分な導電性が得られることが多い。
　
３.５. 刊行物５
　刊行物５には、以下の事項が記載されている。なお、【　】内の番号は、刊行物５の発明の詳細な説明の欄の段落番号を示す。
　
【０００１】
【発明の属する技術分野】
　本発明は、画像形成のための帯電部材に関し、特に被帯電体に当接され電圧を印加されることによって被帯電体を一様に帯電させる接触帯電部材に関する。
　
【００２９】
　本発明において使用される繊維は、合成繊維、天然繊維、半合成繊維及び再生繊維などである。具体例を挙げると、まず合成繊維としては、例えばナイロン−６、ナイロン−６６、ナイロン−１２、ナイロン−４６、アラミド系などのポリアミド類、ポリエチレンテレフタレート（ＰＥＴ）などのポリエステル類、ポリエチレン（ＰＥ）やポリプロピレン（ＰＰ）などのポリオレフィン類、ポリビニールアルコール系、ポリ塩化ビニールやビニリデン系、ポリアクリロニトリル系、ポリフェニレンサルファイド、ポリウレタン、ポリフルオロエチレン、炭素繊維、ガラス繊維などがある。天然繊維としては、例えば、絹、綿、羊毛、麻などがある。半合成繊維としてはアセテートなど、また再生繊維としては、レーヨン、キュプラなどがある。更には、合成繊維の原材料成分を２種類以上複合し溶融紡糸して得られる複合性繊維を用いることができる。これらの繊維は、単独または２種類以上組み合わせて用いることができる。
【００３０】
　本発明においては、極細繊維発生型複合繊維を使用することが好ましい。なぜなら、起毛の高密度化を容易に達成でき、更には極細繊維で構成される繊維絡合体は強度が高く部材として耐久性に優れるので、長期的により均一な帯電か得られるからである。よって、本発明の効果は、注入帯電に適用したときに特に顕著である。このような極細繊維発生型複合繊維は、単独または２種類以上組み合わせて用いることができる。更には、前記した繊維と組み合わせて用いることもできる。
　
３.６. 刊行物６および７
　刊行物６には、布地に定量の仕上げ剤溶液を均一に付着させる装置が記載されている。
　刊行物７には、導電性複合繊維からなる複写機の清掃装置が記載されている。
　
４. 本願発明１について
４.１. 対比
　本願発明１と刊行物１に記載された発明とを比較すると、刊行物１に記載された発明の「電子写真法」、「ブラシ状摺擦帯電部材」、「導電性糸９」、「導電性粒子１１」、「高分子材料１０」、「導電性領域」および「非導電性領域」は、それぞれ本願発明１の「電子写真式画像形成装置」、「接触帯電ブラシ」、「導電性複合繊維」、「導電性微粒子」、「熱可塑性重合体」、「導電性成分」および「非導電性成分」に相当する。
　また、本願発明１と刊行物１に記載された発明とは、導電性成分が繊維表面に露出するように配された複合構造を有している点で共通している。
　そうすると、本願発明１と刊行物１に記載された発明とは、
　
「電子写真式画像形成装置の接触帯電ブラシに用いられる導電性複合繊維であって、該複合繊維が導電性微粒子を含有する熱可塑性重合体からなる導電性成分と熱可塑性重合体からなる非導電性成分とからなり、導電性成分が繊維表面に露出するように配された複合構造を有している導電性複合繊維」
　
である点で一致し、次の点で相違する。
　
（相違点１）
　導電性微粒子が、本願発明１では「粒径０．５μｍ以下」とされているのに対し、刊行物１に記載された発明では粒径が規定されていない点。
　
（相違点２）
　導電性成分と非導電性成分とが、本願発明１では「接合されて」いるのに対し、刊行物１に記載された発明ではそのような規定がされていない点。
　
（相違点３）
　繊維の横断面が、本願発明１では「扁平形状」であり、その「長軸面中央部分に」導電性成分が露出しているのに対し、刊行物１に記載された発明では、「円形」である点。
　
（相違点４）
　熱可塑性重合体が、本願発明１では「炭素数１０以上のモノマー単位を主たる成分とするポリアミド、芳香族ポリエステル、ポリオレフィンからなる群より選ばれたもの」であるのに対し、刊行物１に記載された発明では「ポリアミド（ナイロン）樹脂やポリエステル樹脂等、吸湿性の少ない高分子材料」である点。
　
４.２. 相違点の検討
４.２.１. 相違点１
　刊行物４には、電子写真プリンタの帯電手段を構成するブラシの材料となる繊維として、導電性微粒子を含む導電性部分と非導電性部分とを複合接着した導電性複合繊維を用いることが記載されている（発明の詳細な説明、段落０００１および００１４）。そして、上記導電性複合繊維の導電性部分には、ポリアミド、ポリエステル、ポリオレフィン、再生セルロース、ポリアクリロニトリル等のポリマーに、導電性微粒子としてカーボンブラックを混合したものを用いることが記載されており（同、段落００１９）、さらに、この導電性カーボンブラックの粒径を、「１０μｍ以下、特に３μｍ以下、最も好ましくは１μｍ以下」にすることが記載されている（同、段落００１６）。
　刊行物１に記載された発明と刊行物４に記載された事項とは、いずれも電子写真式画像形成装置の接触帯電ブラシに使用する導電性複合繊維に関するものであるという点で共通しており、刊行物４に記載された事項を刊行物１に記載された発明に適用することは、当業者が容易に思い付くことである。そして、刊行物４の「１０μｍ以下、特に３μｍ以下、最も好ましくは１μｍ以下」という記載から、熱可塑性重合体に含有させる導電性微粒子の粒径は、小さい方が好ましいことが読み取れるから、刊行物４に記載された事項を刊行物１に記載された発明に適用する際、導電性微粒子の粒径を０．５μｍ以下にする程度のことは、当業者が適宜変更し得る設計事項にすぎない。
　
４.２.２. 相違点２
　刊行物４には、電子写真プリンタの帯電手段を構成するブラシの材料となる繊維として、導電性微粒子を含む導電性部分と非導電性部分とを複合接着した導電性複合繊維を用いることが記載されている（発明の詳細な説明、段落０００１および００１４）。刊行物１に記載された発明において、導電性成分と非導電性成分とが接合されているように構成し、相違点２の構成を得ることは、この記載に基づいて当業者が容易に行い得ることである。
　
４.２.３. 相違点３
　刊行物１には、「帯電のみならず被帯電体の均一除電に用いることも可能である。」（上記（１ｈ）参照）と記載されており、刊行物１に記載された発明は、均一除電にも用いられることが分かる。
　刊行物２には、電子写真方式の画像形成装置に使用され、像担持体上に残留したトナー等を除去するクリーニングブラシの繊維として、断面が楕円形のものを用いることが記載されており、そのようにすることによって、繊維が像担持体表面を摺擦する際、その長軸が像担持体表面に沿った方向によじれ、広い面積で像担持体に接触することで、摺擦効果が高まることが記載されている（発明の詳細な説明、段落０００１、００１４および００１７）。これに加えて、当該繊維を、導電性成分を含有する重合体と導電性成分を含有しない重合体との複合層からなる複合繊維とすることが記載されており（同、段落００１６および００６１）、導電成分を含有する重合体が、繊維の長軸面に露出するような構造にすることにより、導電性成分を含有する重合体が像担持体に接触する面積を広くすることができるので、像担持体の除電やその表面に残留したトナーの除電を効率的に行うことができると記載されている（同、段落００６３および図７）。
　しかし、刊行物１および２には、クリーニングブラシの繊維の形状を帯電ブラシの繊維の形状に適用することが記載も示唆もされていない。刊行物２に記載された事項は、クリーニングブラシに関するものであって、繊維の断面を楕円形にしたのは、摺擦効果を向上させるためである。このことによって、効率的な除電が可能になるという効果が副次的に得られるとしても、刊行物１に記載された発明は、クリーニングブラシとは機能を異にする帯電ブラシであるから、刊行物２に記載された事項を刊行物１に記載された発明に適用することが、当業者にとって容易であるとまでは言うことができない。
　したがって、相違点３は、刊行物１および２に記載された事項に基づき、当業者が容易に思い付くことであるとすることができない。また、その他の刊行物に記載された事項を検討しても、これを否定する根拠が見いだせない。
　
４.２.４. 相違点４
　刊行物１に記載された発明では、熱可塑性重合体として、「ポリアミド（ナイロン）樹脂やポリエステル樹脂等、吸湿性の少ない高分子材料」を用いている。一方、刊行物３には、吸水率の小さい熱可塑性重合体として、炭素数１０以上のモノマー単位を主たる成分とする芳香族ポリエステルであるポリエチレンテレフタレートおよびポリブチレンテレフタレート、並びに、炭素数１０以上のモノマー単位を主たる成分とするポリアミドである４種類の低吸水性ポリアミド（ナイロン１１、ナイロン１２、ナイロン６１０およびナイロン６１２）が例示されている。刊行物１に記載された発明の吸湿性の少ない熱可塑性重合体として、このような物質を採用することは、刊行物２の記載に基づき当業者が容易に思い付くことである。したがって、相違点４は、当業者が容易に思い付く事項にすぎない。
　
４.３. まとめ
　以上のとおりであるから、本願発明１は、刊行物１〜７に記載された発明に基づいて当業者が容易に発明をすることができたものと言うことはできず、特許法第２９条第２項の規定により特許を受けることができないとすることはできない。
　
５. 本願発明２および３について
　本願発明２は、本願発明１を引用して、その構成をさらに限定したものであり、本願発明３は、本願発明１または２の繊維を用いた接触帯電ブラシである。
　本願発明１が、刊行物１〜７に記載された発明に基づいて当業者が容易に発明をすることができたものでない以上、本願発明２および３についても、同様のことが言える。
　
６. むすび
　以上のとおりであるから、本願発明１〜３は、いずれも刊行物１〜７に記載された発明に基づいて当業者が容易に発明をすることができたものでないから、特許法第２９条第２項の規定により特許を受けることができないとすることはできない。
　したがって、本願発明１〜３は、拒絶査定の理由によって特許を受けることができないとすることはできず、他に特許を受けることができないとする理由も発見しない。
　よって、結論のとおり審決する。